(57)【要約】    【課題】  光ディスクの高速回転において、光ディスクの最適記録パワー情報を決めることができる光ディスク装置の記録パワー決定方法を提供する。    【解決手段】  記録に先立って光ディスクの半径方向における２箇所の位置でのプッシュプル信号振幅を取得し、取得したプッシュプル信号振幅を基に、ディスク全記録領域にわたる半径位置に対する最適記録パワーの線形近似計算を求め、求めた結果を、ディスク半径位置に対する最適記録パワー情報に決めることを特徴とする（２０１、２０２）。【選択図】  図２
2005135533.tif 000002
【特許請求の範囲】
【請求項１】
記録に先立って光ディスクの半径方向における少なくとも２箇所の測定位置でのプッシュプル信号振幅を取得し、取得した該プッシュプル信号振幅を基に、ディスク全記録領域にわたる半径位置に対する最適記録パワーを計算して求め、求めた結果を、ディスク半径位置に対する最適記録パワー情報に決めることを特徴とする光ディスク装置の記録パワー決定方法。
【請求項２】
記録のとき光ピックアップのディスク位置情報を取得し、取得した該ディスク位置情報と、記憶しているディスク半径位置に対する最適記録パワー情報とから、光ディスクの記録位置での最適記録パワーを設定し、設定した最適記録パワーとなるように前記光ピックアップのレーザーパワーを制御することを特徴とする光ディスク装置の記録パワー制御方法。
【請求項３】
記録に先立って光ディスクの半径方向における少なくとも２箇所の位置でのプッシュプル信号振幅を取得し、取得した該プッシュプル信号振幅を基に、ディスク全記録領域にわたる半径位置に対する最適記録パワーを計算して求め、求めた結果を、ディスク半径位置に対する最適記録パワー情報に決めて記憶し、記録のとき光ピックアップのディスク位置情報を取得し、取得した該ディスク位置情報と、記憶しているディスク半径位置に対する最適記録パワー情報とから、光ディスクの記録位置での最適記録パワーを設定し、設定した該最適記録パワーとなるように前記光ピックアップのレーザーパワーを制御することを特徴とする光ディスク装置の記録パワー制御方法。
【請求項４】
請求項１、２または３記載において、前記ディスク半径位置に対する最適記録パワー情報において、内周基準測定位置に対する外周任意測定位置での最適記録パワーをＰＯとすると、ＰＯは、次の式より計算して求めるまたは求めたものであることを特徴とする光ディスク装置の記録パワー決定方法または記録パワー制御方法。
ＰＯ＝［ １＋｛（ＰＰＩ／ＰＰＯ）−１｝×ＰＵＰ  ］×ＰＩ
または 
ＰＯ＝［ １＋｛１−（ＰＰＯ／ＰＰＩ）｝×ＰＵＰ  ］×ＰＩ
ここで、
ＰＰＩ  ：  内周基準測定位置またはその近傍位置で取得したプッシュプル信号振幅、
ＰＰＯ  ：  外周任意測定位置で取得したプッシュプル信号振幅、
ＰＵＰ  ：  ディスク半径によるパワーアップの比率係数、
ＰＩ    ：  内周基準測定位置の試し書きによる最適記録パワー。
【請求項５】
請求項４記載において、前記ディスク半径位置に対する最適記録パワー情報において、外周任意非測定位置での最適記録パワーをＰとすると、Ｐは、次の式より計算して求めるまたは求めたものであることを特徴とする光ディスク装置の記録パワー決定方法または記録パワー制御方法。
Ｐ=（ＰＩ−ＰＯ）/（ｒｉ−ｒｏ）×ｒ
＋（ＰＯ×ｒｉ−ＰＩ×ｒｏ）/（ｒｉ−ｒｏ）
ここで、
ｒｉ  ：  内周基準測定位置またはその近傍位置のディスク半径位置、
ｒｏ  ：  請求項４記載のＰＰＯを取得した外周任意測定位置のディスク半径位置。
【請求項６】
請求項１、２または３記載において、前記ディスク半径位置に対する最適記録パワー情報において、内周基準測定位置に対する外周任意測定位置での最適記録パワーをＰＯとすると、ＰＯは、次の式より計算して求めるまたは求めたものであることを特徴とする光ディスク装置の記録パワー決定方法または記録パワー制御方法。
ＰＯ＝［ １＋｛（ＰＰＩ／ＰＰＯ）−１｝×ＰＵＰ  ］×Ｐｒ
または 
ＰＯ＝［ １＋｛１−（ＰＰＯ／ＰＰＩ）｝×ＰＵＰ  ］×Ｐｒ
ここで、
ＰＰＩ  ：  内周基準測定位置またはその近傍位置で取得したプッシュプル信号振幅、
ＰＰＯ  ：  外周任意測定位置で取得したプッシュプル信号振幅、
ＰＵＰ  ：  ディスク半径によるパワーアップの比率係数、
Ｐｒ    ：  内周位置外周位置でのプッシュプル振幅の差が無いときの外周任意位置のディスク半径ｒでの最適パワー。
【請求項７】
請求項６記載において、前記ディスク半径位置に対する最適記録パワー情報は、内周基準位置に対する外周任意位置での最適記録パワーをＰｒｂとすると、Ｐｒｂは次の式より計算して求めるまたは求めたものであることを特徴とする光ディスク装置の記録パワー決定方法または記録パワー制御方法。
Ｐｒｂ＝ＰＣＲ×Ｐｒ 
ここで、
Ｐｒは内周位置外周位置でのプッシュプル振幅の差が無いときの外周任意位置のディスク半径ｒでの最適パワー、
ＰＣＲは、光ピックアップの外周任意非測定位置のディスク半径ｒでのパワーコントロール係数で、
ＰＣＲ＝ {（ＰＣＩ−ＰＣＯ）／（ｒｉ−ｒｏ）} ×ｒ
＋ {（ＰＣＯ×ｒｉ）−（ＰＣＩ×ｒｏ）} ／（ｒｉ−ｒｏ）
ここで、
ｒｉは内周基準測定位置またはその近傍でのディスク半径、
ｒｏは外周任意位置のディスク半径、
ＰＣＩ：内周基準測定位置またはその近傍でのパワーコントロール係数、
ＰＣＯ：外周任意測定位置でのパワーコントロール係数、
さらに、
ＰＣＩ＝１  
ＰＣＯ＝［ １＋｛（ＰＰＩ／ＰＰＯ）−１｝×ＰＵＰ  ］
または、
ＰＣＯ＝［ １＋｛１−（ＰＰＯ／ＰＰＩ）｝×ＰＵＰ  ］。
【発明の詳細な説明】
【技術分野】
【０００１】
本発明は、光ディスク装置において、記録の際の記録パワーを最適に設定する光ディスク装置の記録パワー決定方法および記録パワー制御方法に関する。
【背景技術】
【０００２】
ＣＤ−Ｒ／ＲＷドライブやＤＶＤ−Ｒ／ＲＷドライブ等の記録可能な光ディスク装置においては、光ディスクのＰＣＡエリアにテストデータを種々のレーザーパワーで試し書きし、β値等の再生品質が目標値となるレーザーパワーを算出するＯＰＣ（Optimum Power Control）と、光ディスク面内における記録膜の塗布むらや光ディスクの傾きに依らず、記録ビット形成後の戻り光量を示すＢ値を一定に維持するようにレーザーパワーをフィードバック制御するＲＯＰＣ（Running Optimum Power Control）により、記録品質の確保を行っている。
【０００３】
このＲＯＰＣは、光ディスクの様々な要因が混じった状態に対して補正を行う為、必ずしも記録品質の最適化を実現するものではなく、種々の改良が試みられている。
【０００４】
例えば、光ディスクの傾きに対してβ値を一定にする為、ＲＯＰＣにおける戻り光量の変動分とレーザーパワーの変動分の比(ΔＢ／ΔＰ)を一定とするレーザーパワー制御を行うこと（例えば、特許文献１参照）、あるいは、 Ｂｍ／Ｐｎ＝一定（但し、ｍ＜ｎ）とするレーザーパワー制御を行うこと（例えば、特許文献２参照）等が知られている。
【０００５】
また、ＣＤ−ＲＷ等の相変化記録型の光ディスクにおいては、記録済領域にオーバーライトした場合、先の記録状態の影響を受け、ＲＯＰＣにて記録品質を確保することが難しくなることから、レーザー光を０次回折光のメインビームと＋１次回折光および−１次回折光の２つのサブビームに分割し、メインビームをグルーブトラックに照射して記録を行う一方で、２つのサブビームを前記グルーブトラックの両側に隣接するランドトラックに各々照射して、記録の影響のないランドトラックの戻り光を用いてメインビームのパワー制御を行うことにより、オーバーライトの影響を排除したランニングＯＰＣの例（例えば、特許文献３参照）が知られている。
【０００６】
また、光ディスク装置では、通常、レーザー光を集光させて光ディスクのトラックに光スポットを照射して光ディスクに情報を記録する光ピックアップに、光スポットのトラック横断方向及びトラック横断方向と直交する方向に配置した分割受光部を設け、該分割受光部からの検出信号よりフォーカス情報とトラッキング情報を得るようにしている。
【０００７】
そして、この分割受光部のうちの、光スポットのトラック横断方向の分割受光部からの検出信号の減算演算によりプッシュプル信号（ＰＰ信号）を得、また該分割受光部からの検出信号の位相比較よりディファレンシャル・フェーズ・ディテクション信号（ＤＰＤ信号）を得、この両信号より光ディスクの傾き角を検出すること（例えば、特許文献４参照）が知られている。
【０００８】
【特許文献１】特開２００３−１６６４５号公報（請求項１、００２３）
【０００９】
【特許文献２】特開２００３−２４８９２９号公報（請求項１，請求項３、００２４，００２６）
【特許文献３】特開２００３−１７３５３３号公報（要約、請求項１、発明の開示、特許文献４）                  特開２００１−３０７３５９号公報（請求項１、請求項２、００２３〜００２８等）
【発明の開示】
【発明が解決しようとする課題】
【００１０】
しかし、年々、記録時間の短縮要求の高まり、記録の高速化とともに光ディスクを高速回転する必要に迫られ、記録品質を確保する為に行っているＲＯＰＣの戻り光量検出精度を得ることが厳しくなっている。
【００１１】
本発明の目的は、光ディスクの高速回転において、光ディスクの最適記録パワー情報を決めることができる光ディスク装置の記録パワー決定方法を提供することにある。
【００１２】
本発明の他の目的は、記録のとき、予め決めた、光ディスクの最適記録パワー情報を使って、レーザーパワーを制御する光ディスク装置の記録パワー制御方法を提供することにある。
【００１３】
本発明の更に他の目的は、光ディスクの高速回転において、記録に先立って光ディスクの最適記録パワー情報を決め、この決めた最適記録パワー情報を使って、記録のときにレーザーパワーを制御する光ディスク装置の記録パワー制御方法を提供することにある。
【課題を解決するための手段】
【００１４】
本発明による請求項１記載の光ディスク装置の記録パワー決定方法は、記録に先立って光ディスクの半径方向における少なくとも２箇所の測定位置でのプッシュプル信号振幅を取得し、取得した該プッシュプル信号振幅を基に、ディスク全記録領域にわたる半径位置に対する最適記録パワーを計算して求め、求めた結果を、ディスク半径位置に対する最適記録パワー情報に決めることを特徴とする。
【００１５】
本発明による請求項２記載の光ディスク装置の記録パワー制御方法は、記録のとき光ピックアップのディスク位置情報を取得し、取得した該ディスク位置情報と、記憶しているディスク半径位置に対する最適記録パワー情報とから、光ディスクの記録位置での最適記録パワーを設定し、設定した最適記録パワーとなるように前記光ピックアップのレーザーパワーを制御することを特徴とする。
【００１６】
本発明による請求項３記載の光ディスク装置の記録パワー制御方法は、記録に先立って光ディスクの半径方向における少なくとも２箇所の位置でのプッシュプル信号振幅を取得し、取得した該プッシュプル信号振幅を基に、ディスク全記録領域にわたる半径位置に対する最適記録パワーを計算して求め、求めた結果を、ディスク半径位置に対する最適記録パワー情報に決めて記憶し、記録のとき光ピックアップのディスク位置情報を取得し、取得した該ディスク位置情報と、記憶しているディスク半径位置に対する最適記録パワー情報とから、光ディスクの記録位置での最適記録パワーを設定し、設定した該最適記録パワーとなるように前記光ピックアップのレーザーパワーを制御することを特徴とする。
【００１７】
本発明による請求項４記載の光ディスク装置の記録パワー決定方法または記録パワー制御方法は、請求項１、２または３記載において、前記ディスク半径位置に対する最適記録パワー情報において、内周基準測定位置に対する外周任意測定位置での最適記録パワーをＰＯとすると、ＰＯは、次の式より計算して求めるまたは求めたものであることを特徴とする。
ＰＯ＝［ １＋｛（ＰＰＩ／ＰＰＯ）−１｝×ＰＵＰ  ］×ＰＩ
または 
ＰＯ＝［ １＋｛１−（ＰＰＯ／ＰＰＩ）｝×ＰＵＰ  ］×ＰＩ
ここで、
ＰＰＩ  ：  内周基準測定位置またはその近傍位置で取得したプッシュプル信号振幅、
ＰＰＯ  ：  外周任意測定位置で取得したプッシュプル信号振幅、
ＰＵＰ  ：  ディスク半径によるパワーアップの比率係数、
ＰＩ    ：  内周基準測定位置の試し書きによる最適記録パワー。
【００１８】
本発明による請求項５記載の光ディスク装置の記録パワー決定方法または記録パワー制御方法は、請求項４記載において、前記ディスク半径位置に対する最適記録パワー情報において、外周任意非測定位置での最適記録パワーをＰとすると、Ｐは、次の式より計算して求めるまたは求めたものであることを特徴とする。
Ｐ=（ＰＩ−ＰＯ）/（ｒｉ−ｒｏ）×ｒ
＋（ＰＯ×ｒｉ−ＰＩ×ｒｏ）/（ｒｉ−ｒｏ）
ここで、
ｒｉ  ：  内周基準測定位置またはその近傍位置のディスク半径位置、
ｒｏ  ：  請求項４記載のＰＰＯを取得した外周任意測定位置のディスク半径位置。
【００１９】
本発明による請求項６記載の光ディスク装置の記録パワー決定方法または記録パワー制御方法は、請求項１、２または３記載において、前記ディスク半径位置に対する最適記録パワー情報において、内周基準測定位置に対する外周任意測定位置での最適記録パワーをＰＯとすると、ＰＯは、次の式より計算して求めるまたは求めたものであることを特徴とする。
ＰＯ＝［ １＋｛（ＰＰＩ／ＰＰＯ）−１｝×ＰＵＰ  ］×Ｐｒ
または 
ＰＯ＝［ １＋｛１−（ＰＰＯ／ＰＰＩ）｝×ＰＵＰ  ］×Ｐｒ
ここで、
ＰＰＩ  ：  内周基準測定位置またはその近傍位置で取得したプッシュプル信号振幅、
ＰＰＯ  ：  外周任意測定位置で取得したプッシュプル信号振幅、
ＰＵＰ  ：  ディスク半径によるパワーアップの比率係数、
Ｐｒ    ：  内周位置外周位置でのプッシュプル振幅の差が無いときの外周任意位置のディスク半径ｒでの最適パワー。
【００２０】
本発明による請求項７記載の光ディスク装置の記録パワー決定方法または記録パワー制御方法は、請求項６記載において、前記ディスク半径位置に対する最適記録パワー情報は、内周基準位置に対する外周任意位置での最適記録パワーをＰｒｂとすると、Ｐｒｂは次の式より計算して求めるまたは求めたものであることを特徴とする。
Ｐｒｂ＝ＰＣＲ×Ｐｒ 
ここで、
Ｐｒは内周位置外周位置でのプッシュプル振幅の差が無いときの外周任意位置のディスク半径ｒでの最適パワー、
ＰＣＲは、光ピックアップの外周任意非測定位置のディスク半径ｒでのパワーコントロール係数で、
ＰＣＲ＝ {（ＰＣＩ−ＰＣＯ）／（ｒｉ−ｒｏ）} ×ｒ
＋ {（ＰＣＯ×ｒｉ）−（ＰＣＩ×ｒｏ）} ／（ｒｉ−ｒｏ）
ここで、
ｒｉは内周基準測定位置またはその近傍でのディスク半径、
ｒｏは外周任意位置のディスク半径、
ＰＣＩ：内周基準測定位置またはその近傍でのパワーコントロール係数、
ＰＣＯ：外周任意測定位置でのパワーコントロール係数、
さらに、
ＰＣＩ＝１  
ＰＣＯ＝［ １＋｛（ＰＰＩ／ＰＰＯ）−１｝×ＰＵＰ  ］
または、
ＰＣＯ＝［ １＋｛１−（ＰＰＯ／ＰＰＩ）｝×ＰＵＰ  ］。
【発明の効果】
【００２１】
本発明によれば、光ディスクの高速回転において、光ディスクの最適記録パワー情報を決めることができる光ディスク装置の記録パワー決定方法を得ることができる。また本発明によれば、記録のとき、予め決めた、光ディスクの最適記録パワー情報を使って、レーザーパワーを制御する光ディスク装置の記録パワー制御方法を得ることができる。また本発明によれば、光ディスクの高速回転において、記録に先立って光ディスクの最適記録パワー情報を決め、この決めた最適記録パワー情報を使って、記録のときにレーザーパワーを制御する光ディスク装置の記録パワー制御方法を得ることができる。
【発明を実施するための最良の形態】
【００２２】
以下、図面に基づき本発明による実施の形態について説明する。
【００２３】
図１は、本発明に係る記録パワー設定方法を有する光ディスク装置の実施の形態の構成図である。
【００２４】
図１において、ディスクモータ回転制御手段1は、マイコン２により指定された回転数になるよう、ディスクモータ３を制御する。ディスクモータ３は、光ディスク４を回転させる。
【００２５】
レーザーパワー制御手段５は、光ピックアップ６のレーザーパワーをマイコン２が設定したレーザーパワーになるように制御する。
【００２６】
光ピックアップ６は、光ディスク４に対しレーザー光を集光させ、情報記録動作を行う。また、光ディスク４に記録された情報を光情報として検出し、電気信号に変換する。
【００２７】
ここで、光ピックアップ６は、レーザー光を集光させて光ディスクのトラックに照射する光スポットのトラック横断方向及びトラック横断方向と直交する方向に配置した分割受光部を有し、該分割受光部からの検出信号を出力する。
【００２８】
サーボ制御手段７は、マイコン６から指令を受けたとき、光ピックアップ６の分割受光部からの検出信号から、光ピックアップ６によるディスク情報溝追従動作に必要なフォーカス情報とトラッキング情報を抽出し、前記情報を元に光ピックアップ６のフォーカス／トラッキング追従動作を行う。
【００２９】
信号処理手段８は、光ピックアップ６で、たとえば光ディスク４に記録された位置情報であるＡＴＩＰアドレス情報を光ディスク４から読み出し、光ピックアップ６の位置情報を取得する。また、ＣＤ−Ｒ光ディスク等につけられた光ディスク毎のメディアＩＤ情報の取得を行う。
【００３０】
プッシュプル信号振幅検出手段９は、光ピックアップ６の分割受光部のうちの、光スポットのトラック横断方向の分割受光部からの検出信号から減算演算によりプッシュプル信号振幅を検出する。
【００３１】
メモリ１０は、プッシュプル信号振幅検出手段９からのプッシュプル信号振幅を基に、マイコン２が計算した、ディスク半径位置に対する最適記録パワー情報を記憶する。
【００３２】
記録のときは、マイコン２で、信号処理手段８で取得した光ピックアップ６の位置情報と、メモリ１０で記憶しているディスク半径位置に対する最適記録パワー情報とから、光ピックアップ６の記録半径位置での最適記録パワーを設定し、設定した最適記録パワーになるようにレーザーパワー制御手段５に指示し、レーザーパワー制御手段５はマイコン２の指示にしたがって光ピックアップ６のレーザーパワーを設定した最適記録パワーになるように制御する。
【００３３】
図２は、図１の光ディスク装置が行う記録に関する全体動作のフローを示す図である。
【００３４】
図２において、ステップ２０１とステップ２０２は記録に先立って行うステップである。
【００３５】
ステップ２０１では、マイコン２は、光ピックアップ６を光ディスク４の半径方向における２箇所の位置すなわち内周位置(例えば内側より半径２３ｍｍ)と外周位置(例えば内側より半径５０ｍｍ)に移動させ、その位置でのプッシュプル信号振幅をプッシュプル信号取得手段９から取得する。
【００３６】
ステップ２０２では、マイコン２は、ステップ２０１の内周測定位置と外周測定位置で取得したプッシュプル信号振幅情報を基に、ディスク全記録領域にわたる半径位置に対する最適記録パワーを計算して求め、求めた結果を、ディスク半径位置に対する最適記録パワー情報に決めて、メモリ１０に記憶する。
【００３７】
ステップ２０３では、記録のときに、マイコン２は、光ピックアップ６を光ディスク４の半径方向における記録開始位置に移動させる。そしてその記録開始位置における記録パワーを、メモリ１０に記憶しているディスク半径位置に対する最適記録パワー情報を使ってマイコン２で設定し、記録開始と同時に、レーザーパワー制御手段５を介して光ピックアップ６のレーザー光を、設定した記録パワーで発光させる。
【００３８】
ステップ２０４では、光ピックアップ６により、実際の記録動作を行う。
【００３９】
図３は、図２におけるステップ２０１の詳細な内容のフローの例を示す図である。
【００４０】
ステップ３０１では、マイコン２は、光ピックアップ６を光ディスク４の半径方向における２箇所の測定位置すなわち内周測定位置と外周測定位置のうちの外周測定位置に移動させる。
【００４１】
ステップ３０２では、マイコン２は、外周測定位置でのプッシュプル信号振幅をプッシュプル信号取得手段９から取得する。
【００４２】
ステップ３０３では、マイコン２は、光ピックアップ６を光ディスク４の半径方向における２箇所の測定位置すなわち内周測定位置と外周測定位置のうちの内周測定位置に移動させる。
【００４３】
ステップ３０４では、マイコン２は、内周測定位置でのプッシュプル信号振幅をプッシュプル信号取得手段９から取得する。
【００４４】
以上が、図２におけるステップ２０１の詳細な内容のフローである。
【００４５】
本実施の形態は、外周測定位置のあとに内周測定位置の振幅取得を行っているが、内周測定位置から先に行っても良い。その際のフローはステップ３０３、次にステップ３０４、次にステップ３０１、次にステップ３０２の順となる。
【００４６】
ここで、ステップ３０２とステップ３０４のプッシュプル信号振幅の取得に際しては、まず、トラッキング・オフ動作により、光ディスクのトラックよぎり方向（横断方向）の信号変化がプッシュプル振幅として測定できる状態にする。
【００４７】
次に実際のプッシュプル振幅を測定して取得する。そして、最後にトラッキングを再度オンする。
【００４８】
必要に応じて、測定位置でのディスク回転数が記録時のディスク回転数と実質同じになるまで測定を待つ処理を、実際に測定して取得する前の任意のプロセスに設けても良い。
【００４９】
なお、光ディスクの回転数によりディスクのそり量が変化するため、回転数が記録速度と同速になったときのプッシュプル振幅を用いることが望ましい。
【００５０】
図４は、図２におけるステップ２０４の詳細な内容のフローの例を示す図である。
【００５１】
ステップ４０１では、光ディスク４の半径方向における記録開始位置で記録を開始する。
【００５２】
ステップ４０２では、マイコン２は、信号処理手段８からのＡＴＩＰアドレス情報を得て、光ピックアップ６のディスク位置情報の取得を行う。
【００５３】
ステップ４０３では、マイコン２は、ステップ４０２で検出した光ピックアップ６のディスク位置情報と、メモリ１０で記憶しているディスク半径位置に対する最適記録パワー情報とから、光ディスク４の記録位置での最適記録パワーを設定し、設定した最適記録パワーとなるようにレーザーパワー制御手段５に指示し、レーザーパワー制御手段５はマイコン２の指示にしたがって、光ピックアップ６のレーザーパワーを、設定した最適記録パワーになるように制御する。
【００５４】
ステップ４０４では、マイコン２は、信号処理手段８で取得した光ピックアップ６の位置情報から記録終了位置かの判定を行い、記録終了位置でない場合は、記録を継続するため、スッテップ４０２に戻る。記録終了位置である場合には、記録終了動作４０５を行う。
【００５５】
次に、図２におけるステップ２０２の詳細な内容について説明する。
【００５６】
まず、光ディスクの全面を同一速度で記録(ＣＬＶ記録)する場合には、ディスク半径位置に対する最適記録パワー情報は、内周基準測定位置に対する外周任意測定位置での最適記録パワーをＰＯとすると、ＰＯは、
ＰＯ＝［ １＋｛（ＰＰＩ／ＰＰＯ）−１｝×ＰＵＰ  ］×ＰＩ・・（式１）
または 
ＰＯ＝［ １＋｛１−（ＰＰＯ／ＰＰＩ）｝×ＰＵＰ  ］×ＰＩ・・（式２）
とあらわせる。
【００５７】
ここで、
ＰＰＩ  ：  内周基準測定位置またはその近傍位置で取得したプッシュプル信号振幅、
ＰＰＯ  ：  外周任意測定位置で取得したプッシュプル信号振幅、
ＰＵＰ  ：  ディスク半径によるパワーアップの比率係数、
ＰＩ    ：  内周基準測定位置の試し書きによる最適記録パワー
である。
【００５８】
ここで、（式１）は、外周任意測定位置でのＰＰＯに対する内周基準測定位置またはその近傍位置でのＰＰＩの増加率を基準とした最適記録パワーＰＯの計算式である。
【００５９】
また、（式２）は、内周基準測定位置またはその近傍位置でのＰＰＩに対する外周任意測定位置でのＰＰＯの減少率を基準とした最適記録パワーＰＯの計算式である。
【００６０】
なお、上記ＰＵＰの、ディスク半径によるパワーアップの比率係数は、あらかじめ最適値をメディアごとに調査しておくことが好ましい。
【００６１】
また、各メディア毎の上記ＰＵＰについて、調査した結果を、メモリ１０に保存しておき、実際の計算の前に、メモリ１０より読み出す仕組みとしても良い。
【００６２】
ここで、外周任意非測定位置での最適記録パワーをＰ、外周任意非測定位置のディスク半径をｒ、内周基準測定位置のディスク半径をｒｉ、外周任意測定位置のディスク半径位置をｒｏと定義したとき、図５のように、外周任意非測定位置のディスク半径ｒと外周任意非測定位置での最適記録パワーＰとは一次式に近似できると仮定することで、下記のようにあらわすことが出来る。
Ｐ=（ＰＩ−ＰＯ）/（ｒｉ−ｒｏ）×ｒ
＋（ＰＯ×ｒｉ−ＰＩ×ｒｏ）/（ｒｉ−ｒｏ）  ・・・（式３）
ここで、ＰＯは、上記（式１）または（式２）である。
【００６３】
次に，光ディスクの全面をＣＡＶ記録の場合について説明する。ＣＡＶの場合は、半径位置により倍速が変化する。また、倍速に応じて記録最適パワーが変化する。よって、各倍速毎(各半径位置毎)の最適パワーに対して、さらにプッシュプル振幅差情報により補正することになる。
【００６４】
内周基準測定位置に対する外周任意測定位置での最適記録パワーをＰＯとすると、ＰＯは、次の式より計算して求める。
ＰＯ＝［ １＋｛（ＰＰＩ／ＰＰＯ）−１｝×ＰＵＰ  ］×Ｐｒ
または 
ＰＯ＝［ １＋｛１−（ＰＰＯ／ＰＰＩ）｝×ＰＵＰ  ］×Ｐｒ
ここで、
ＰＰＩ  ：  内周基準測定位置またはその近傍位置で取得したプッシュプル信号振幅、
ＰＰＯ  ：  外周任意測定位置で取得したプッシュプル信号振幅、
ＰＵＰ  ：  ディスク半径によるパワーアップの比率係数、
Ｐｒ    ：  内周位置外周位置でのプッシュプル振幅の差が無いときの外周任意位置のディスク半径ｒでの最適記録パワー。
【００６５】
非測定位置での最適記録パワーＰｒｂは、上記Ｐｒに対して、本特許によるパワー補正を行った最適記録パワーである。Ｐｒｂと、Ｐｒの関係には、次の関係が成り立つ。
Ｐｒｂ＝ＰＣＲ×Ｐｒ ・・・(式４)
ここで、ＰＣＲは、光ピックアップの外周任意非測定位置のディスク半径ｒでのパワーコントロール係数である。
【００６６】
光ピックアップの外周任意非測定位置のディスク半径ｒでのＰＣＲは、内周基準測定位置でのパワーコントロール係数をＰＣＩと、外周任意測定位置でのパワーコントロール係数ＰＣＯを用いて表わせる。
ここで、
ＰＣＩ＝１  ・・・・・・・・・・・・・・・・・・・・・・・・（式５）
ＰＣＯ＝［ １＋｛（ＰＰＩ／ＰＰＯ）−１｝×ＰＵＰ  ］  ・・・（式６）
または、
ＰＣＯ＝［ １＋｛１−（ＰＰＯ／ＰＰＩ）｝×ＰＵＰ  ］  ・・・（式７）
であり、
（式６）（式７）は、それぞれ（式１）（式２）の係数項そのものである。
【００６７】
図６のような線形近似によれば、
ＰＣＲ＝ {（ＰＣＩ−ＰＣＯ）／（ｒｉ−ｒｏ）} ×ｒ
＋ {（ＰＣＯ×ｒｉ）−（ＰＣＩ×ｒｏ）} ／（ｒｉ−ｒｏ） ・（式８）
とあらわせる。
ここで、
ｒｉは内周基準測定位置またはその近傍でのディスク半径、
ｒｏは外周任意位置のディスク半径、
尚、外周任意非測定位置のディスク半径ｒでの最適記録パワーＰｒは、本発明以外の既知のＯＰＣ、ＲＯＰＣを使用して求めた各再生位置(各再生速)での最適記録パワーを用いても良い。
【００６８】
なお、（式４）は、ＣＡＶに限らず、前述のＣＬＶや、ＺＣＬＶ等にも適用可能である。また、（式４）を使うことで、本発明以外のＲＯＰＣ等によるパワーコントロールにより求めた最適パワーに対しても、更に補正を加えることが出来る。
【００６９】
以上説明したように、本発明の実施の形態によれば、光ディスクの高速回転において、光ディスクの最適記録パワー情報を決めることができる光ディスク装置の記録パワー決定方法を得ることができる。
【００７０】
また本発明の実施の形態によれば、記録のとき、予め決めた、光ディスクの最適記録パワー情報を使って、レーザーパワーを制御する光ディスク装置の記録パワー制御方法を得ることができる。
【００７１】
また本発明の実施の形態によれば、光ディスクの高速回転において、記録に先立って光ディスクの最適記録パワー情報を決め、この決めた最適記録パワー情報を使って、記録のときにレーザーパワーを制御する光ディスク装置の記録パワー制御方法を得ることができる。
【図面の簡単な説明】
【００７２】
【図１】本発明に係る記録パワー設定方法を有する光ディスク装置の実施の形態の構成図である。
【図２】図１における記録に関する全体動作のフローを示す図である。
【図３】図２におけるステップ２０１の詳細な内容のフローの例を示す図である。
【図４】図２におけるステップ２０４の詳細な内容のフローの例を示す図である。
【図５】図２におけるステップ２０２において、ＣＬＶのときの記録パワーとディスク半径との関係を示す図である。
【図６】図２におけるステップ２０２において、ＣＡＶのときのパワーコントロール係数ＰＣＲとディスク半径との関係を示す図である。
【符号の説明】
【００７３】
１…ディスクモータ回転制御手段、２…マイコン、３…ディスクモータ、４…光ディスク、５…レーザーパワー制御手段、６…光ピックアップ、７…サーボ制御手段、８…信号処理手段、９…プッシュプル信号振幅検出手段、１０…メモリ。
【図１】
2005135533.tif 000003
【図２】
2005135533.tif 000004
【図３】
2005135533.tif 000005
【図４】
2005135533.tif 000006
【図５】
2005135533.tif 000007
【図６】
2005135533.tif 000008